(57)【特許請求の範囲】
【請求項１】
ハンドセットを備えて、ケース前面に前記ハンドセットを収容する収容部を有する通話機器であって、
前記ハンドセットが永久磁石を具備する一方、前記収容部の背部となる前記ケース内に、前記永久磁石の磁界を検知するホール素子を設け、
前記ホール素子は、前記ケース前面に直交するよう前記ケースに組み付けられた第１の基板のケース前面側端部に搭載されて、前記第１の基板が前記収容部に組み付けられる一方、
前記永久磁石は、前記ハンドセットを前記収容部に収容した状態で前記ホール素子に近接する部位に配置され、
更に、前記ケース内の前記ホール素子に隣接する部位に、前記ケース前面に直交するよう磁性板が配置され、前記磁性板と前記永久磁石との間に発生する磁力により、前記収容部に収容された前記ハンドセットが固定されると共に、
前記第１の基板の前記ケース前面側端部には、前記磁性板と係合する係合部が設けられ、前記磁性板は、前記第１の基板に係合して固定されることを特徴とする通話機器。
【請求項２】
前記ケース内には、通話や各種制御を行うための回路が組み付けられた第２の基板が前記ケース前面に平行に配置されて成り、
前記第１の基板の前記ケース前面側端部が前記ケースに当接して配置されると共に、前記第１の基板の後端は前記第２の基板に当接するよう配置され、
前記第１の基板は両者に挟持されて固定されることを特徴とする請求項１記載の通話機器。
【請求項３】
前記収容部には、前記ハンドセットを保持して前記ハンドセットの落下を防止するためのハンドセット保持突起が形成され、前記ホール素子は前記ハンドセット保持突起の先端部に配置されることを特徴とする請求項１又は２記載の通話機器。
【請求項４】
前記ケースは、前記第１の基板の装着を案内すると共に保持するガイド片を有することを特徴とする請求項１乃至３の何れかに記載の通話機器。
【発明の詳細な説明】
【技術分野】
【０００１】
本発明はハンドセットを備えた通話機器に関し、特にハンドセットをフックオン操作した際に発生する衝突音が通話相手に流れないよう構成された通話機器に関する。
【背景技術】
【０００２】
ハンドセットを備えた通話機器では、ハンドセットのフックオン操作時にハンドセットが機器ケースに当たることで衝突音が発生する。この衝突音はフックオン操作が完了する前に発生していたため、これまでの通話機器では通話相手側で報音され、この音が大きい場合は通話相手に不快な思いをさせていた。
そのため、この衝突音が通話相手に流れないよう工夫された機器が提案されている。例えば特許文献１では、発光ダイオードと受光素子を用いて、光の反射を検知させることで同様にハンドセットの接近を判断させ、衝突音の報音を無くした。そして、フックスイッチを兼務させてフックスイッチ自体を無くした。
また特許文献２では、リードスイッチと磁石を組み込んで、フックスイッチが動作する前にハンドセットの接近を検知させて、衝突音発生前に通話路を遮断させて衝突音を送信しないようにした。
【先行技術文献】
【特許文献】
【０００３】
【特許文献１】特開２０１０−１５７８０９号公報
【特許文献２】特開２０００−３４９８８１号公報
【発明の概要】
【発明が解決しようとする課題】
【０００４】
しかしながら、上記特許文献１では、置台に設置した発光ダイオードの光をハンドセットに反射させて、その反射光を検知してハンドセットの接近を検知する構成であるため、ハンドセットを置台へセットする角度によっては検知しない状況が発生し易く、設計が難しかった。また、発光ダイオードの発光方向によっては、使用者が眩しく感じる場合があった。
一方、上記特許文献２の場合、リードスイッチと磁石の組はフックスイッチに加えて設置されるためコスト高であったし、リードスイッチを取り付けた基板の組み付けにビス等の固定部材を必要としたため、作業工数もかかる問題があった。
【０００５】
そこで、本発明はこのような問題点に鑑み、ハンドセットのフックオン操作時に発生する衝突音が通話先に送信されるのを防止する構成を、ホール素子と磁石を用いた使い勝手の良い簡易な構造で実施し、更にフックスイッチも無くすことができる通話機器を提供することを目的としている。
【課題を解決するための手段】
【０００６】
上記課題を解決する為に、請求項１の発明は、ハンドセットを備えて、ケース前面にハンドセットを収容する収容部を有する通話機器であって、ハンドセットが永久磁石を具備する一方、収容部の背部となるケース内に、永久磁石の磁界を検知するホール素子を設け、ホール素子は、ケース前面に直交するようケースに組み付けられた第１の基板のケース前面側端部に搭載されて、第１の基板が収容部に組み付けられる一方、永久磁石は、ハンドセットを収容部に収容した状態でホール素子に近接する部位に配置され、更に、ケース内のホール素子に隣接する部位に、ケース前面に直交するよう磁性板が配置され、磁性板と永久磁石との間に発生する磁力により、収容部に収容されたハンドセットが固定されると共に、第１の基板のケース前面側端部には、磁性板と係合する係合部が設けられ、磁性板は、第１の基板に係合して固定されることを特徴とする。
この構成によれば、ケースに近づいてきたハンドセットを、ホール素子が永久磁石の磁界を検知することで認識できるため、ハンドセットのフックオン操作を検知してフックオン操作に伴うハンドセットとケースとの衝突音を通話相手に送信しないよう構成できるし、ホール素子にフックスイッチを兼務させることができ、フックスイッチを削除することが可能となる。また、発光素子を使用しないため使用者にとって使い勝手が良い。
そして、ホール素子を搭載した第１の基板はケース前面に対して直交する方向に配置されるため、ケース前面近傍に配置する必要があってもケース後方からの挿入操作で容易にホール素子を組み付けできる。
更に、磁性板と永久磁石の作用でハンドセットを固定できるため、部品点数を削減でき簡易な構造でハンドセットを固定できるし、磁性板は第１の基板で固定されるので別途固定するための部材が必要ない。
【０００７】
請求項２の発明は、請求項１に記載の構成において、ケース内には、通話や各種制御を行うための回路が組み付けられた第２の基板がケース前面に平行に配置されて成り、第１の基板のケース前面側端部がケースに当接して配置されると共に、第１の基板の後端は第２の基板に当接するよう配置され、第１の基板は両者に挟持されて固定されることを特徴とする。
この構成によれば、第１の基板はケースと第２の基板とで挟持されるため、ビス等の固定部材を使用することなく固定でき、作業工数を削減できるし固定部材も削減できる。
【００１０】
請求項３の発明は、請求項１又は２に記載の構成において、収容部には、ハンドセットを保持してハンドセットの落下を防止するためのハンドセット保持突起が形成され、ホール素子はハンドセット保持突起の先端部に配置されることを特徴とする。
この構成によれば、ハンドセットの収容部に形成したハンドセット保持突起内にホール素子を配置したので、ホール素子をハンドセットに無理なく接近させることができ、誤動作を防止できる。
【００１１】
請求項４の発明は、請求項１乃至３の何れかに記載の構成において、ケースは、第１の基板の装着を案内すると共に保持するガイド片を有することを特徴とする。
この構成によれば、ガイド片により第１の基板の位置決めが容易であるし、保持されるので仮固定状態を他の部品の必要なく行うことができ、組み立てにかかる工数を削減することができる。
【発明の効果】
【００１２】
本発明によれば、ケースに近づいてきたハンドセットを、ホール素子が磁界を検知することで認識できるため、ハンドセットのフックオン操作を検知してフックオン操作に伴うハンドセットとケースとの衝突音を通話相手に送信しないよう構成できるし、ホール素子にフックスイッチを兼務させることができ、フックスイッチを削除することが可能となる。また、発光素子を使用しないため使用者にとって使い勝手が良い。
そして、ホール素子を搭載した第１の基板はケース前面に対して直交する方向に配置されるため、ケース前面近傍に配置する必要があってもケース後方からの挿入操作で容易にホール素子を組み付けできる。
【図面の簡単な説明】
【００１３】
【図１】本発明に係る通話機器の一例を示すインターホン機器の斜視図である。
【図２】図１のインターホン機器の断面説明図であり、ハンドセットの中央を上下に切断した状態を示している。
【図３】Ａ部拡大図である。
【図４】上ケースの背面を示す斜視図である。
【図５】Ｂ部拡大図であり、（ａ）は図４の角度、（ｂ）は角度を変えた斜視図である。
【図６】第１の基板を除いたＢ部拡大図である。
【発明を実施するための形態】
【００１４】
以下、本発明を具体化した実施の形態を、図面を参照して詳細に説明する。図１は本発明に係る通話機器であるインターホン機器を示し、１はハンドセット、２は通話の為の各種回路が組み込まれたケース、３は通話先の機器から伝送された映像を表示したり、各種情報を表示し、更にタッチパネルから成る操作部を構成するディスプレイ、４はディスプレイ３にメニュー画面を表示させるメニューボタンである。
ケース２は、機器前面を構成する上ケース２ａと、背面を構成する下ケース２ｂとから成り、上ケース２ａの左側にハンドセット１を収容する収容部５を備えている。
【００１５】
図２は図１のインターホン機器の断面説明図であり、ハンドセット１の中央部を上下に切断した断面を示している。図２において、１１はハンドセット１のフックオン及びフックオフを検出するためのＩＣ化されたホール素子、１２はホール素子１１を組み付けたサブ基板（第１の基板）、１３は通話や映像表示、更には各種制御を行うための電子部品が搭載されたメイン基板（第２の基板）、１５はホール素子１１を動作させるためのネオジウム等から成る永久磁石、１６はハンドセット１の受話部１ａを構成するスピーカ、１７は送話部１ｂを構成するマイクである。
第１の基板１２はケース２の前面に対して直交するよう配置され、第２の基板１３は平行に配置されている。
【００１６】
図３は図２のＡ部拡大図、図４は上ケース２ａの背面側から見た斜視図を示している。図３，図４に示すように、上ケース２ａの収容部５には、ハンドセット１の受話部１ａを収容する凹部１９、この凹部１９の下端にハンドセット１の落下を防止するためのハンドセット保持突起２０等を備えている。
また、第１の基板１２には挿入先端側の側部に略Ｌ字状の切り欠き部１２ａが形成され、ホール素子１１は第１の基板１２の挿入先端側の端部に配置されている。切り欠き部１２ａは、後述する金属板２５を保持するために設けられている。尚、２１はディスプレイ３の装着窓、２２は呼出音を報音したりハンズフリー通話のためのスピーカである。
【００１７】
図５は図４のＢ部を拡大した図であり、（ａ）は図４と同様の角度、（ｂ）は角度を変えた斜視図を示している。図５に示すように、上ケース２ａには第１の基板１２をケース前面に対して直交する縦方向に安定して取り付けるためのガイドリブ２４が設けられている。ガイドリブ２４は、第１の基板１２を挟んで挿入を案内し、挿入した状態を保持するよう上ケース２ａの背面に起立形成されている。
【００１８】
また、２５は磁性を有する略四角形の金属板であり、１辺にコ字状の大きな切り込み２５ａが形成されている。この金属板２５は、ハンドセット１に取り付けられている永久磁石１５に吸引させてハンドセット１の固定に寄与するためのもので、第１の基板１２に直交する横方向で、且つケース２の前面に対して直交するよう配置され、図５（ｂ）に示すように左右端部が上ケース２ａに形成された一対のガイド溝２６に挿入されて保持される。
【００１９】
第１の基板１２には、ホール素子１１を駆動して検知信号を伝送するための端子２７が搭載されており、図５（ａ）に示すように、コネクタ２８、ハーネス２９を介して第２の基板１３に接続される。尚、ハーネス２９は、保護用リブ３０に当たるようにし、金属板２５には当たらないようにしてハーネス２９の断線を防止している。
【００２０】
以下、ホール素子１１のケース２への組み付け手順を具体的に説明する。最初に金属板２５を所定部位に組み付ける。図５（ｂ）に示すように、金属板２５はガイド溝２６に沿って挿入され、挿入後は保持される。
図６は第１の基板１２を除いたＢ部拡大図を示し、この図６に示すように金属板２５は切り込み２５ａを後方に向けて挿入される。そして、挿入された金属板２５は、挿入先端側の平坦な一辺が上ケース２ａに近接した状態で保持される。
【００２１】
次に、ホール素子１１が搭載されている第１の基板１２を組み付ける。ホール素子１１は、図３に示すように第１の基板１２の挿入先端側の端部に組み付けられており、図５に示ようにガイドリブ２４に嵌合させて上ケース２ａに挿入される。この結果、ガイドリブ２４の作用により、第１の基板１２は金属板２５の切り込み２５ａに沿って挿入され、挿入後は仮固定される。
【００２２】
第１の基板１２の挿入により、図２に示すように先端に形成されている切り欠き部１２ａに金属板２５の切り込み２５ａが係合する。この結果、金属板２５の前後動が規制される。一方、第１の基板１２の先端は上ケース２ａの裏面に当接し、ホール素子１１は上ケース２ａに密着するように配置される。この結果、ホール素子１１はハンドセット保持突起２０の背面に密着するように配置される。
尚、ハンドセット１に取り付けられている永久磁石１５は、図２に示すようにホール素子１１に対峙する部位に配置され、ハンドセット１をケース２に保持させた状態で、ホール素子１１と永久磁石１５は近接した状態で配置される。
【００２３】
こうして、ホール素子１１及び金属板２５の双方がハンドセット１に備えられた永久磁石１５に最も近接させて配置できるので、ハンドセット１のフックオン操作をフックオンする直前にホール素子１１が検出できるし、フックオフ操作も誤動作なく検出することができる。そして、金属板２５と永久磁石１５の作用でハンドセット１を磁力で固定できるため、部品点数を削減でき簡易な構造でハンドセットを固定できる。
【００２４】
また、図２に示すように、ケース２の前面に平行に配置された第２の基板１３は、第１の基板１２に対して直交し、且つ当接するよう配置される。その後、下ケース２ｂと上ケース２ａとを嵌合してビス止めすることで、第２の基板１３が第１の基板１２を押圧し、第１の基板１２及び金属板２５が確実に固定される。
【００２５】
このように、ケース２に近づいてきたハンドセット１を、ホール素子１１が磁界を検知することで認識できるため、ハンドセット１のフックオン操作を検知してフックオン操作に伴うハンドセット１とケース２との衝突音を通話相手に送信しないよう構成できるし、ホール素子１１にフックスイッチを兼務させることができ、フックスイッチを削除することが可能となる。また、発光素子を使用しないため使用者にとって使い勝手が良い。
そして、ホール素子１１を搭載した第１の基板１２はケース２の前面に対して直交する方向に配置されるため、ケース２の前面近傍に配置する必要があってもケース２の後方からの挿入操作で容易にホール素子を組み付けできる。
また、第１の基板１２はケース２と第２の基板１３とで挟持されるし、金属板２５は第１の基板１２により固定されるため、ビス等の固定部材を使用することなく固定でき、作業工数を削減できるし固定部材も削減できる。
更に、ハンドセット１の収容部５に形成したハンドセット保持突起２０の内部にホール素子１１を配置したので、ハンドセット１に無理なく接近させることができ、誤動作を防止することができる。
また、ガイドリブ２４により第１の基板１２の位置決めが容易であるし、保持されるので仮固定状態を他の部品の必要なく行うことができ、組み立てにかかる工数を削減することができる。
【００２６】
尚、上記実施形態は、壁面等に設置されるインターホン機器の場合について説明したが、机上に載置される機器の場合においても良好に適用できる。但し、このような横置きの場合、ハンドセット１が落下するようなことはないため、金属板２５のハンドセット吸引力は小さくとも良い。
【産業上の利用可能性】
【００２７】
上記実施形態では、インターホン機器の構造を説明したが、本発明のホール素子１１を使用してフックオン／フックオフを検出する構成は、電話機器等のハンドセットを備えた機器であれば好適に適用できるものである。
【符号の説明】
【００２８】
１・・ハンドセット、２・・ケース、２ａ・・上ケース、２ｂ・・下ケース、５・・収容部、１１・・ホール素子、１２・・第１の基板、１２ａ・・切り欠き部（係合部）、１３・・第２の基板、１５・・永久磁石、２０・・ハンドセット保持突起、２４・・ガイドリブ（ガイド片）、２５・・金属板（磁性板）、２５ａ・・切り込み、２６・・ガイド溝。
【図１】
0005846989.tif 000002
【図２】
0005846989.tif 000003
【図３】
0005846989.tif 000004
【図４】
0005846989.tif 000005
【図５】
0005846989.tif 000006
【図６】
0005846989.tif 000007